(57)【特許請求の範囲】
【請求項１】
吸入により粉体を投与するための吸入器であって、粒子状の乾燥剤を含むためのチャンバを形成する部材を含み、上記部材が第１及び第２部分（１４、１６）を含み、
上記第１部分（１４）が少なくとも１の内部又は外部スプライン（２８）の一方を備えた外部表面を有し、上記第２部分（１６）が少なくとも１の内部又は外部スプライン（３６）の他方を備えた内部表面を有し、
上記スプライン（２８、３６）は、上記第１及び第２部分（１４、１６）の連続した互いの回転を防止し、その間に空間が形成されるような寸法及び／又は間隔で配置された吸入器。
【請求項２】
上記スプライン（２８、３６）が、少なくとも１の互いの角度位置において、上記第１及び第２部分（１４、１６）を回転方向に固定するような寸法及び／又は間隔である請求項１の吸入器。
【請求項３】
上記スプライン（２８、３６）が、その間の相互の角度関係にかかわりなく、上記第１及び第２部分（１４、１６）を回転方向に固定するような寸法及び／又は間隔である請求項２の吸入器。
【請求項４】
少なくとも１の外部スプライン（２８）と、少なくとも１の内部スプライン（３６）とが、異なった半径方向寸法を有する請求項１から３のいずれかの吸入器。
【請求項５】
上記第１及び第２部分（１４、１６）が、取り付けられた場合に、互いに保持する協同した移動止め手段を含み、上記スプライン（２８、３６）が、上記第１及び第２部分（１４、１６）が互いに取り付けられた場合に、上記協同した移動止め手段により更なる挿入に対する抵抗が引き起こされる前に、少なくとも１の上記外部スプライン（２８）が、少なくとも１の上記内部スプライン（３６）と噛み合うように、上記協同した移動止め手段に対する寸法及び／又は間隔を有する請求項１から４のいずれかの吸入器。
【請求項６】
上記スプライン（２８、３６）は、更なる挿入に対する抵抗が上記協同した移動止め手段により引き起こされる前に、上記第１及び第２部分（１４、１６）の軸が、相対的に、回転角方向に動かないような寸法及び／又は間隔である請求項１から５のいずれかの吸入器。
【請求項７】
上記少なくとも１の内部スプライン（３６）が、表面の周囲の端部に十分に近い位置から延び、そこには、第１及び第２部分（１４、１６）が共に取り付けられた場合に、更なる挿入に対する抵抗が上記協同した移動止め手段により引き起こされる前に、上記スプライン（２８、３６）が噛み合うように、スプラインが提供される請求項１から６のいずれかの吸入器。
【請求項８】
上記スプライン（２８、３６）の相対的な長さと位置とが、更なる挿入に対する抵抗が上記協同した移動止め手段により引き起こされる前に、上記外部及び内部スプライン（２８、３６）のそれぞれの長さの少なくとも３分の１が噛み合うようにしてなる請求項１から７のいずれかの吸入器。
【請求項９】
上記協同した移動止め手段が、少なくとも一部の周辺の溝部（３４）と、その中に噛み合うように形成された少なくとも一部の周辺の峰部（２６）と、を含む請求項５から８のいずれかの吸入器。
【請求項１０】
上記少なくとも一部の周辺の峰部（２６）が、上記第１部分（１４）の上記外部表面上に形成され、上記少なくとも一部の周辺の溝部（３４）が、上記第２部分（１６）の上記内部表面上に形成される請求項９の吸入器。
【請求項１１】
上記少なくとも一部の周辺の溝部（３４）が、上記内部表面の周辺の端部と上記内部表面に形成された上記少なくとも１のスプライン（３６）との間の、上記第２部分（１６）の上記内部表面に形成される請求項１０の吸入器。
【請求項１２】
上記少なくとも１の外部スプライン（２８）が、上記少なくとも１の内部スプライン（３６）の約４分の３の長さである請求項１から１１のいずれかの吸入器。
【請求項１３】
上記第１部分（１４）の上記外部表面が、少なくとも１の外部スプライン（２８）を備え、上記第２部分（１６）の上記内部表面が、少なくとも１の内部スプライン（３６）を備える請求項１から１２のいずれかの吸入器。
【請求項１４】
更に、吸入ボディ（６）と、使用する場合に粉体がそこから吸入されるマウスピース（４）と、を含み、上記吸入ボディ（６）が、吸入するための用量の粉体を提供する用量メカニズムを搭載する請求項１から１３のいずれかの吸入器。
【請求項１５】
上記部材が、上記用量メカニズムを操作するためのグリップ部分（８）を含む請求項１４の吸入器。
【請求項１６】
上記グリップ部分（８）が、上記吸入ボディ（６）に回転できるように搭載された請求項１５の吸入器。
【請求項１７】
吸入ボディ（６）が、少なくとも一部の周辺の峰部（１８）又は少なくとも一部の周辺の溝部の一方を含み、上記グリップ部分（８）が、少なくとも一部の周辺の峰部（１８）又は少なくとも一部の周辺の溝部の他方を含み、少なくとも一部の周辺の峰部（１８）が、少なくとも一部の周辺の溝部に噛み合うように形成された請求項１６の吸入器。
【請求項１８】
上記吸入ボディ（６）に隣接する上記チャンバの壁の少なくとも一部が、水分を透過する請求項１４から１７のいずれかの吸入器。
【請求項１９】
上記第２部分（１６）の外部表面が、ユーザが掴むことができるこぶ状又は峰状の表面（３８）を有する請求項１４から１８のいずれかの吸入器。
【請求項２０】
上記少なくとも１の内部スプライン（３６）を備えた上記第１及び第２部分（１４、１６）の１つが、上記第１及び第２部分（１４、１６）が互いに取り付けられた場合に、上記少なくとも１の外部スプライン（２８）の少なくとも１つにより接するように配置された少なくとも１の要素を含む請求項１から１９のいずれかの吸入器。
【請求項２１】
上記少なくとも１の内部スプライン（３６）の少なくとも１つが、取り付け方向の前方端部において要素（４０）により架橋され、かかる要素（４０）の少なくとも１つが、上記第１及び第２部分（１４、１６）が互いに取り付けられた場合に、上記少なくとも１の外部スプライン（２８）により接するようにした請求項１から２０のいずれかの吸入器。
【請求項２２】
上記要素（４０）のそれぞれが、上記それぞれの外部スプライン（２８）によって変形される材料から形成される請求項２０又は２１の吸入器。
【発明の詳細な説明】
本発明は、吸入により粉体を投与するための粉体吸入器に関する。
用量の粉体を空気流に導入するために、異なったシステムで使用される多くの粉体吸入器が知られている。一般的には、粉体は、例えば喘息を治療するために患者の肺に吸入される。
EP-A-0237507に、そのような粉体吸入器の１つが記載されている。この吸入器は、吸入チャネルと、空気チャンバと排出ノズルとを含むマウスピースと、を含み、これらは共に、ユーザによる吸入中に、空気流がそこを通って吸いこまれる流路を形成する。この吸入器は、更に、粉体を吸入チャネルに導入する手段を含む。吸入中に、空気は最初に吸入チャネル内に、そこを通って吸いこまれ、粉体を吸い上げる。粉体を含んだ空気流は、その後、空気チャンバを通って吸い込まれ、マウスピースの排出ノズルから出る。
粉体吸入器は、しかしながら、特に水分の影響を受けやすく、それゆえに、例えばシリカゲルのような水分を吸着する乾燥剤を含む必要があった。乾燥剤が吸入される粉体から全体的に分離され、粉体の汚染を避けることが必要であるということは、もちろん理解されている。
DE-C-4415462に、乾燥剤を含むチャンバを含み、そのチャンバが互い留められた第１及び第２部分により形成される粉体吸入器が記載されている。
EP-A-0237507に示されたような、吸入ボディと、その１端部のグリップ部分と、を含み、グリップ部分が吸入ボディに対して回転でき、吸入する用量の粉体を供給する種類の粉体吸入器では、グリップ部分の中に乾燥剤を含むチャンバを提供することが提案されている。１の提案された構造では、グリップ部分が、互いに取り付けられ、チャンバを形成する第１及び第２部分を含み、第１及び第２部分が、回転方向にこれらをロックする協同するスプラインを有する。しかしながら、この提案された構造には、第１及び第２部分が互いに取り付けられた場合に、乾燥剤の粒子が、スプラインの間に入り、正確なアセンブリを妨げるという１つの大きな欠点があった。
このように、本発明の目的は、その部分に、乾燥剤を含む場合に、確実で信頼性のある方法で取り付けられる、乾燥剤を含むチャンバを形成することを許容する構造を有する粉体吸入器を提供することにある。
それゆえに、本発明は、吸入により粉体を投与するための吸入器であって、粒子状の乾燥剤を含むためのチャンバを形成する部材を含み、該部材が第１及び第２部分を含み、第１部分が少なくとも１の内部又は外部スプラインの一方を備えた外部表面を有し、第２部分が少なくとも１の内部又は外部スプラインの他方を備えた内部表面を有し、そのスプラインが、第１及び第２部分の連続した互いの回転を防止し、その間に乾燥剤の粒子が通ることができる空間を形成するような寸法及び／又は間隔を置いて配置された吸入器を提供する。
好ましくは、スプラインは、少なくとも１の相互の角度位置において、第１及び第２部分を回転方向に固定するような寸法及び／又は間隔となる。
更に好ましくは、スプラインは、その間の相互の角度関係にかかわりなく、第１及び第２部分を回転方向に固定するような寸法及び／又は間隔となる。
特に、スプラインは、第１及び第２部分のそれぞれの外部及び内部表面に形成された複数の突出部により限定され、及び、突出部を完備した観念的な表面にたとえられ、外部又は内部のスプラインの一方を備えた第１部分の外部表面は、隣接した突出部の間に欠けたｎ1の観念的な突出部を有し、ｎ1は１より大きい又は等しい整数であり、外部又は内部スプラインの他方を備えた第２部分の内部表面は、隣接した突出部の間に欠けたｎ2の観念的な突出部を有し、ｎ2はｎ1より大きい整数であり、
（ｎ1＋１）・ｋ1＋１＝（ｎ2＋１）・ｋ2と、
（ｎ1＋１）・ｋ3＝（ｎ2＋１）・ｋ4の関係を満足する。
ここで、ｋ1、ｋ2、ｋ3及びｋ4は０又は０より大きい整数であり、ｋ2はｋ4より小さい。
好ましくは、少なくとも１の外部スプラインと、少なくとも１の内部スプラインは、異なった半径方向寸法である。
好ましくは、第１及び第２部分は、取り付けられた場合に、互いに保持する共同した移動止め手段を含み、スプラインは、第１及び第２部分が互いに取り付けられた場合に、共同した移動止め手段により更なる挿入に対する抵抗が引き起こされる前に、少なくとも１の外部スプラインが、少なくとも１の内部スプラインと噛み合うような、共同した移動止め手段に対する、寸法及び／又は間隔とする。
好ましくは、スプラインは、第１部分及び第２部分の軸が、更なる挿入に対する抵抗が共同した移動止め手段により引き起こされる前に、実質的に比較的に角をもって固定するような寸法及び／又は間隔とする。
好ましくは、少なくとも１つの内部スプラインが、表面の周囲の端部に十分に近い位置から延び、そこには、第１及び第２部分が互いに取り付けられた場合に、更なる挿入に対する抵抗が共同した移動止め手段により引き起こされる前に、スプラインが噛み合うように、スプラインが提供される。
好ましくは、スプラインの相対的な長さと位置とが、更なる挿入に対する抵抗が共同した移動止め手段により引き起こされる前に、外部及び内部スプラインのそれぞれの長さの少なくとも３分の１が噛み合うようになる。
好ましくは、共同した移動止め手段は、少なくとも一部の周辺の溝部と、その中に噛み合うように形成された少なくとも一部の周辺の峰部と、を含む。
好ましくは、少なくとも一部の周辺の峰部が、第１部分の外部表面上に形成され、少なくとも一部の周辺の溝部が、第２部分の内部表面上に形成される。
特に、少なくとも一部の周辺の溝部が、内部表面の周辺の端部と内部表面に形成された少なくとも１のスプラインとの間の、第２部分の内部表面に形成される。
好ましくは、少なくとも１の外部スプラインが、少なくとも１の内部スプラインの約４分の３の長さとなる。
好ましくは、第１部分の外部表面が少なくとも１の外部スプラインを備え、第２部分の内部表面が少なくとも１の内部スプラインを備える。
好ましくは、吸入器は、更に、吸入ボディと、使用する場合に粉体がそこから吸入されるマウスピースと、を含み、吸入ボディは、吸入するための用量の粉体を提供する用量メカニズムを搭載する。
特に、部材は、用量メカニズムを操作するためのグリップ部分を含む。
更に好ましくは、グリップ部分は、吸入ボディに回転できるように搭載される。
更に好ましくは、吸入ボディは、少なくとも一部の周辺の峰部又は少なくとも一部の周辺の溝部の一方を含み、グリップ部分は、少なくとも一部の周辺の峰部又は少なくとも一部の周辺の溝部の他方を含み、少なくとも一部の周辺の峰部は、少なくとも一部の周辺の溝部に噛み合うように形成される。
好ましくは、吸入ボディに隣接する少なくとも一部のチャンバの壁は、水分を透過する。
好ましくは、第２部分の外部表面が、ユーザが掴むことができるこぶ状又は峰状の表面を有する。
好ましくは、少なくとも１の内部スプラインを備えた第１及び第２部分の１つが、第１及び第２部分が互いに取り付けられた場合に、少なくとも１の外部スプラインの少なくとも１つにより接するように配置された少なくとも１の要素を含む。
好ましくは、少なくとも１の内部スプラインの少なくとも１つが、取り付け方向の前方端部において要素４０により架橋され、かかる要素（４０）の少なくとも１つが、第１及び第２部分が互いに取り付けられた場合に、少なくとも１の外部スプラインにより接する。
特に、要素のそれぞれは、それぞれの外部スプラインによって変形される材料から形成される。
このような構造では、十分な力の適用が必要となる前に、第１及び第２部分が、内部及び外部のスプラインがインタロックされて、組み合わせても良い。スプラインをインタロックさせ、そして、それゆえに、第１及び第２部分を整列させることにより、力は、移動止め手段を噛み合せるために用いられ、それゆえに、スプラインに損傷を与えることなく第１及び第２部分を軸の回りに固定する。スプラインが噛み合うことにより、第１及び第２部分が、その軸が平行になるように配置され、第１及び第２部分が共に動かされた場合、第１及び第２部分が一致して動き、第１部分の底の周辺の端部は、第２部分の側面には入らない。
本発明の吸入器では、チャンバは、単に、第１及び第２部分を同時にプレスすることにより、容易に形成される。特に、本発明の吸入器の構成は、第１及び第２部分が整列し十分に噛み合うまで、第１及び第２部分を互いに留めるのに必要な十分な力を適用する必要はないことを確実にする。言い換えれば、アセンブリ中に、第１及び第２部分は、整列不良の状態で、互いに力がかけられることはない。
本発明の好ましい具体例について、添付した図を参照した例により、以下に説明する。ここで、
図１は、本発明の第１の具体例にかかる粉体吸入器の斜視図を示し、
図２は、図１の吸入器のグリップ部分の構成部品の分解図を示し、
図３は、図１の吸入器のグリップ部分の１の構成部品の内部表面の破断部分断面図を示し、
図４から図１３は、図１の吸入器のグリップ部分の構成部品の外部及び内部スプラインの可能な形状を示し、
図１４は、本発明の第２の具体例にかかる吸入器のグリップ部分の１の構成部品の内部表面の破断部分断面図を示し、そして、
図１５は、本発明の第３の具体例にかかる粉体吸入器のグリップ部分を通した破断水平断面図を示す。
図１は、本発明の第１の具体例にかかる粉体吸入器を示す。
吸入器は、排出ノズル４を含むマウスピース２と、吸入ボディ６と、吸入用の用量の粉体を供給するために吸入ボディ６内に配置された用量メカニズムを操作するための回転可能なグリップ部分８と、を含む。吸入ボディ６は、窓１２で満たされた開口部１０を備え、該窓１２を通して表示ホイール（図示せず）が見えて、吸入器の使用についての表示を提供する。
使用する場合、グリップ部分８は最初に１の方向に、この具体例では上から見た場合に反時計回りに、吸入ボディ６に対して予め決められた角度だけ回され、その後、反対に、時計方向に、元の位置に戻される。この動作は、用量メカニズムを操作して、吸入のための用量に粉体を供給する。ユーザは、その後、マウスピース２を口にくわえて、肺に入るように粉体を吸い込む。
このグリップ部分８は、互いに取り付けられた場合に乾燥剤を含む閉じたチャンバ（図示せず）を形成するように相互に形成された第１及び第２の中空部分１４、１６を含む。
第１部分１４は、そこに吸入ボディ６が留められる１の上方の端部の外部表面の回りに配置された周辺の峰部１８と、対応する内部の線を有するキャップ（図示せず）がねじ込まれ、マウスピース２と吸入ボディ６を覆い、これにより固いシールを形成する外部線２０と、を含む。第１部分１４は、更に、その上端部の周辺に配置された、上を向いた、弾性をもって斜めになったアーム２２を含み、該アーム２２は、グリップ部分８の回転時に、用量メカニズムの部分と噛み合い、用量の粉体を吸入器に供給する。第１部分１４は、更に、この具体例では一般的な円筒状の断面である、管状部分２４を有し、その１の端部、即ち上端部は、水分を浸透させる壁（図示せず）により閉じられている。好ましい具体例では、この壁は、厚紙でできている。管状部分２４の外部表面は、円周状の峰部２６と、この具体例では三角形の断面の放射状の突起部である複数の外部スプライン２８と、を含む。
第２部分１６は、この具体例では、一般的な円筒状の断面である管状部分３０を含み、その１の端部、即ち下端部は壁３２により閉じられている。管状部分３０の内部表面は、その上端にある円周状の溝部３４と、この具体例では、三角形の断面の放射状の突起部により限定された外部に向かって広がった側面を備えた四角形の断面である、複数の内部スプライン３６と、を含む。管状部分３０の外部表面は、グリップ部分８の回転時に、ユーザによって掴まれる複数の軸方向の峰部３８を含む。他の具体例では、管状部分３０の外部表面は、こぶ状であっても良い。この具体例では、管状部分３０の内部寸法は、第１部分１４の管状部分２４上に閉じた放射状の嵌合をするように形成される。
この構造では、第１及び第２部分１４、１６が、峰部２６が溝部３４中に配置された時に互いに留める。第１及び第２部分１４、１６の連続した相対的な回転は、スプライン２８、３６をめあわすことにより防止される。
スプライン２８、３６は、管状部分３０の上端部が峰部２６に到達する前に、実質的に内部で噛み合うように、軸位置及び軸長さが形成される。特に、管状部分２４の下端部のいかに近くまで従属し、管状部分２４の下端部のいかに近くまで外部スプライン２８が延びようとも、内部のスプライン３６は、管状部分３０の上端部近くまで延びれば十分である。外部スプライン２８が比較的長い場合、内部スプライン３６は比較的短くなる必要があり、逆に、外部スプライン２８が比較的短い場合、内部スプライン３６は比較的長くなければならない。もちろん、スプライン２８、３６は、第１及び第２部分１４、１６が互いに回転方向に固定されるように取りつけるような、いかなる寸法及び間隔を有してもよいことは、明らかである。好ましい具体例では、取りつけられた場合のその相対的な角度位置にかかわりなく、スプライン２８、３６は、第１及び第２部分１４、１６が互いに回転方向に固定されるように形成される。
この具体例では、その中に、第１及び第２部分１４、１６上のスプライン２８、３６が、同じ寸法の放射状の突起部により限定される、外部スプライン２８を限定する突起部の数は、内部スプライン３６を限定する突起部の数と異なる。これにより、異なった周囲の突起部の間隔を生じる。好ましくは、この具体例のように、外部スプライン２８を限定する突起部の数は、内部スプライン３６を限定する突起部の数より多くなる。例の方法では、第１部分１４は、外部スプライン２８を限定する３６個の等間隔の突起部を備え、第２部分１６は、内部スプライン３６を限定する２４個の等間隔の突起部を備えることができる。この方法では、第１及び第２部分１４、１６が互いに取り付けられた場合に、軸方向に伸びた空間がスプライン２８、３６の間に存在する。このように、第１及び第２部分１４、１６を互いに取り付ける間に、もし乾燥剤の粒子がスプライン２８、３６の間を通った場合、それらの乾燥剤の粒子はアセンブリを妨げず、むしろ、空間の中に落ちる。この構造は、機械により、吸入器が自動的に組み立てられる場合に、特に有利である。なぜなら、もし、空間がスプライン２８、３６の間に形成されず、乾燥剤の粒子がその間に入った場合、組み立て機械が第１及び第２部分１４、１６に互いに力を加えると、第１及び第２部分１４、１６の双方が変形することにより及び／又は峰部２６と溝部３４が適当に噛み合わないことにより、スプライン２８、３６が損傷を受けることが発生しうるからである。しかしながら、特に製造上の理由から、スプライン２８、３６を限定する突起部のいくつかは、省略されることが認められる。例えば、３６個の等間隔の外部スプライン２８を有する上述の例では、１又はそれ以上、一般的には４の外部スプラインが省略され、第１部分１４の外部表面の１又はそれ以上の部分が、スプライン２８なしで残される。
図３に示すように、この具体例では管状部分３０と端部の壁３２との間の接続部である、端部の壁３２に隣接した内部スプライン３６の端部は、その側面を架橋する要素４０を含む。この具体例では、要素４０は、管状部分３０の内部表面に関連して上方及び下方に面した直角三角形を備えた三角形の断面を有する。内部スプライン３６の全てが、要素４０により架橋されることは必要ではない。しかしながら、容易な嵌め込みと、最適な効果のために、要素４０は、周囲のビードにより提供される。要素４０の目的は、以下の通りである。外部スプライン２８が内部スプライン３６の中に入れられた場合、峰部２６が溝部３４内に配置される前に、外部スプライン２８の下端部はそれぞれの要素４０に接触する。この場合、峰部２６は溝部３４内に配置され、第１及び第２部分１４、１６が互いに取りつけられた場合、外部スプライン２８がそれぞれの要素に切りこみ、回転及び軸の双方の向きに、第１及び第２部分１４、１６がしっかり固定される。
図４から図１３は、乾燥剤の粒子が通過することができる軸方向に延びた空間を提供する第１及び第２部分１４、１６の外部及び内部スプライン２８、３６の構造を示す。図４から図１３の理解を容易にするために、スプライン２８、３６が形成される表面は、平らな面として描かれ、具体例で述べられたような一般的な円筒型の表面としては描かれていないことに留意すべきである。また、図４から図１３では、鎖線が、もし、スプライン２８、３６が形成される表面に同じ寸法の突起部が等間隔で完全に形成された場合、スプライン２８、３６を形成する現実の突起部の間に配置される観念上の突起部の位置を示すことも留意すべきである。
図４から図１３には、乾燥剤の粒子が通ることができる軸方向に延びた空間を備えた外部及び内部スプライン２８、３６の可能な形状が示されている。図４から図６は、第１及び第２部分１４、１６が、それぞれ限界の長さまで移動できる形状を示し、図７及び図８は、第１及び第２部分１４、１６が、特別な相互の位置にのみなるように、互いに固定された形状を示すことは、留意すべきである。しかしながら、図９から図１３は、取りつけられた場合のその間の位置関係にかかわりなく、第１及び第２部分１４、１６が互いに関係した位置に固定される。
取りつけられた場合のその間の位置関係にかかわりなく、第１及び第２部分１４、１６が互いに関係した位置に固定されるために、外部又は内部スプライン２８、３６の一方を限定する１の突起部が、１の方向に向いた外部又は内部スプライン２８、３６の他方を限定する突起部の側面に接し、外部又は内部スプライン２８、３６の他方を限定する突起部に接した外部又は内部スプライン２８、３６のいずれかの１つを限定する、次の突起部が、他の方向に向いたその側面に接するように、配置される。最も単純なケースは、図９及び図１０の例に示す形状のように、隣接する突起部が、この関係を満たす場合である。このように、スプライン２８、３６を限定する突起部が繰り返され、各繰り返しにおいて、外部又は内部のスプライン２８、３６の一方を限定する突起部は、外部又は内部のスプライン２８、３６の他方を限定する突起部に接した２つの突起部がそれらの反対の方向の面に接するように、最初に配置される。
好ましい具体例では、ｎ1が、第１部分１４の外部表面上の現実の突起部の間に欠けた観念上の突起部の数を示し、ｎ2が、第２部分１６の外部表面上の現実の突起部の間に欠けた観念上の突起部の数を示す場合において、取りつけられる時のその間の位置関係によらず、第１及び第２部分１４、１６がその位置に互いに固定されるためには、以下に示す、
（ｎ1＋１）・ｋ1＋１＝（ｎ2＋１）・ｋ2と、
（ｎ1＋１）・ｋ3＝（ｎ2＋１）・ｋ4
の関係が満たされなければならない。ここで、ｋ1、ｋ2、ｋ3、及びｋ4は０又は０より大きい整数であり、ｋ2はｋ4より小さい。この関係は、スプライン２８、３６を限定する突起部の規則正しい空間を仮定するが、規則正しくない突起部の形状も、本発明の範囲に属すると認められる。
図１４は、本発明の第２の具体例にかかる吸入器のグリップ部分８の第２部分１６の内部表面を示す。この吸入器は、上述の第１の具体例の吸入器と構造が殆ど同じであり、内部スプライン３６を架橋する要素４０が、矩形の断面を有し、要素４０の１の表面が、管状部分３０の内部表面に平行になっている点においてのみ異なっている。
図１５は、本発明の第３の具体例にかかる粉体吸入器のグリップ部分８を通した部分水平断面図である。この吸入器は、上述の第１の具体例の吸入器と構造が殆ど同じであり、外部スプライン２８が違う点においてものみ、異なっている。即ち、この具体例では、第１及び第２部分１４、１６が互いに固定された場合に、軸方向に延びた空間４０がスプライン２８、３６の間に存在するように、内部スプライン３６の半径方向寸法が形成される点で異なる。この方法では、乾燥剤の粒子がアセンブリ中にスプライン２８、３６の間に入った場合、それらの乾燥剤の粒子は、アセンブリの妨げにはならず、空間４２の中に落ちる。
最後に、本発明はその好ましい具体例として述べられ、添付したクレームに限定された発明の範囲からそれることなく多くの異なった方法で変形できることは、当業者にとって理解されるであろう。
他の具体例では、周辺の峰部２６を管状部分２４の下端部、即ち、取りつけ方向の対して外部スプライン２８の前に、配置することができ、更に、周辺の溝部３４を管状部分３０の下端部、即ち、取りつけ方向に対して内部スプライン３６の前に、配置することができる。このように、上述の具体例と同じ方法で、スプライン２８、３６がインターロックされる後まで、峰部２６は溝部３４に噛み合わない。
また、他の具体例では、周辺の峰部２６が周辺の溝部で置き換えられ、周辺の溝部３４が、周辺の峰部で起きかえられる。
更に、他の具体例では、第１部分１４が、内部スプラインを備え、第２部分１６が外部スプラインを備えることもできる。
【図１】
0004160126.tif 000002
【図２】
0004160126.tif 000003
【図１５】
0004160126.tif 000004
【図３】
0004160126.tif 000005
【図１４】
0004160126.tif 000006
【図４】
0004160126.tif 000007
【図５】
0004160126.tif 000008
【図６】
0004160126.tif 000009
【図７】
0004160126.tif 000010
【図８】
0004160126.tif 000011
【図９】
0004160126.tif 000012
【図１０】
0004160126.tif 000013
【図１１】
0004160126.tif 000014
【図１２】
0004160126.tif 000015
【図１３】
0004160126.tif 000016